(57)【要約】【課題】自由度が高い筆記具を提供すること。【解決手段】筆記具１は、その先端で紙葉類に筆記を行う筆記体１１と、その先端が先細形状の筒状に形成され、その内部に筆記体を収納するとともに、その先端に前記筆記部を支持する孔部５２、及び、その一部を形成する異なる径で二重に設けられた円筒状部材２１，２２を有し、内側の前記円筒状部材２１を外側の前記円筒状部材２２から視認可能に形成された外郭部材１０と、筆記体１１の先端を外郭部材１０から出没させる駆動機構１２と、を備える構成とする。【選択図】      図１
2013022765.tif 000002
【特許請求の範囲】
【請求項１】
その先端に筆記を行う筆記部を有する筆記体と、
その先端が先細形状の筒状に形成され、その内部に前記筆記体を収納するとともに、その先端に形成された前記筆記部を支持する孔部、及び、その一部を形成する異なる径で二重に設けられた円筒状部材を有し、内側の前記円筒状部材を外側の前記円筒状部材から視認可能に形成された外郭部材と、
前記筆記体の先端を前記外郭部材から出没させる駆動機構と、
を備えることを特徴とする筆記具。
【請求項２】
前記外郭部材は、
円筒状に形成され、前記筆記体の一部を収納する前記円筒状部材である軸体と、
前記軸体の一端側に設けられ、前記筆記体の他部を収納するとともに、前記孔部をその先端に有する大先と、
前記軸体をその内部に挿通し、且つ、その一端が前記大先と当接する前記円筒状部材である外筒と、
前記軸体の他端側に固定され、前記外筒と当接することで、前記外筒を前記大先との間に挟持するホルダーと、
を具備することを特徴とする請求項１に記載の筆記具。
【請求項３】
前記軸体はその他端側に切欠部を有し、
前記外筒は、その端部に前記切欠部と係合する係合部を有することを特徴とする請求項２に記載の筆記具。
【請求項４】
前記軸体はその一端側に切欠部を有し、
前記外筒は、その端部に前記切欠部と係合する係合部を有することを特徴とする請求項２に記載の筆記具。
【発明の詳細な説明】
【技術分野】
【０００１】
本発明は、外郭部材が樹脂材料により形成された筆記具に関する。
【背景技術】
【０００２】
現在、筆記具として、その外郭部材が樹脂材料で形成されるものが知られている。この筆記具は、例えば、インクやゲルインクを収納した筆記体を有するボールペンや、黒鉛等により成形した芯を突出させる筆記体を有するシャープペンシル等が知られている。
【０００３】
このような筆記具は比較的安価なことから、企業名、製品名等の標章やキャラクター等の意匠等をその外郭部材に設けることで、販促品やグッズ等に用いられることもある。
【０００４】
なお、これら意匠等は、スクリーン印刷、パッド印刷、転写及び箔押し等による印刷や、意匠等が印刷された粘着層を有する紙葉類が貼り付けられることで、筆記具の外郭部材の外表面に設けられる。
【先行技術文献】
【特許文献】
【０００５】
【特許文献１】特開２００６−２６４０９５号公報
【発明の概要】
【発明が解決しようとする課題】
【０００６】
上述した筆記具では、以下の問題があった。即ち、筆記具は、その外郭部材の外表面に印刷等により設けられた構成であり、その意匠等を設ける範囲は、外郭部材のみと制限される。また、意匠等は外郭部材の外表面に設けられる構成にのみ限られることから、高い視覚的効果を得ることが難しい、という問題がある。例えば、高い視覚的効果をえるために、外郭部材の表面に凹凸を設ける等の外郭部材の形状により対応することも可能であるが、意匠等にあわせて外郭部材の形状を変更する必要があり、自由度が低く、また、製造コストの増大にもなる。このため、意匠等を高い自由度で設けることが可能な筆記具が要求されている。
【０００７】
そこで本発明は、高い自由度で意匠等を設けることが可能な筆記具を提供することを目的としている。
【課題を解決するための手段】
【０００８】
前記課題を解決し目的を達成するために、本発明の筆記具は次のように構成されている。
【０００９】
本発明の一態様の筆記具は、その先端に筆記を行う筆記部を有する筆記体と、その先端が先細形状の筒状に形成され、その内部に前記筆記体を収納するとともに、その先端に形成された前記筆記部を支持する孔部、及び、その一部を形成する異なる径で二重に設けられた円筒状部材を有し、内側の前記円筒状部材を外側の前記円筒状部材から視認可能に形成された外郭部材と、前記筆記体の先端を前記外郭部材から出没させる駆動機構と、を備える。
【発明の効果】
【００１０】
本発明によれば、高い自由度で意匠等を設けることが可能な筆記具を提供することが可能となる。
【図面の簡単な説明】
【００１１】
【図１】本発明の第１の実施形態に係る筆記具の構成を示す断面図。
【図２】同筆記具の構成を分解して示す断面図。
【図３】同筆記具の要部構成を拡大して示す断面図。
【図４】同筆記具に用いられる軸体の構成を一部断面で示す側面図。
【図５】同軸体の構成を端面から示す平面図。
【図６】同筆記具に用いられる外筒の構成を端面から示す平面図。
【図７】本発明の第２の実施形態に係る筆記具の構成を示す断面図。
【図８】同筆記具の構成を分解して示す断面図。
【発明を実施するための形態】
【００１２】
（第１の実施形態）  
以下、本発明の第１の実施形態に係る筆記具１を、図１乃至図６を用いて説明する。  
図１は本発明の第１の実施形態に係る筆記具１の構成を示す断面図、図２は筆記具１の構成を分解して示す断面図、図３は筆記具１の要部構成、具体的には、軸体２１、ホルダー２３及びノック体２５の係合部を拡大して示す断面図、図４は筆記具１に用いられる軸体２１の構成を一部断面で示す側面図、図５は軸体２１の構成を上端面から示す平面図、図６は筆記具１の外筒２２の構成を端面から示す平面図である。
【００１３】
筆記具１は、所謂ノック式のボールペンやシャープペンシル等である。本実施形態においては、図１に示すように、ノック式のボールペンを用いて筆記具１を説明する。筆記具１は、外郭部材１０と、筆記体１１と、駆動機構１２と、を備えている。
【００１４】
外郭部材１０は、軸体２１と、外筒２２と、ホルダー２３と、大先２４と、ノック体２５とを備えている。外郭部材１０は、筆記体１１を収納可能、且つ、筆記体１１の先端を突出及び没入可能に形成されている。
【００１５】
軸体２１は、樹脂材料により形成され、その内部に筆記体１１及び駆動機構１２の一部を収納する。軸体２１は、両端が開口する円筒状に形成されている。軸体２１は、一方の端部に設けられ、ノック体２５を往復動可能に挿通させる開口部３１と、他方の端部に設けられ、大先２４と締結される雌螺子部３２と、その内周面であって、開口部３１に隣接して設けられた後述する駆動機構の固定子３３と、を備えている。
【００１６】
なお、固定子３３は、２つの高さ（長さ）に形成されたカム溝を複数有するカム溝群である。この固定子３３は、後述する回転子７１の係合突起７３が係合するカム溝の高さにより、回転子７１を位置決め可能に形成されている。
【００１７】
軸体２１は、その外径が、外筒２２の内径よりも若干小径に形成されている。また、軸体２１は、図２乃至図５に示すように、一端側であって、当該端部から所定の距離、具体的にはホルダー２３の軸方向の長さと同一の距離まで設けられた小径部３５と、小径部３５の一端側の外周面に設けられた円環状の凸部３６と、を備えている。
【００１８】
図４に示すように、軸体２１は、その外周面の一部、具体的には、軸体２１の一端側であって、且つ、小径部３５の他端部に軸体２１と小径部３５との外径差で形成される端部、及び、軸体２１の他方の端部に、それぞれ切欠部３８を備えている。この切欠部３８は、方体状に切欠する溝であり、後述する外筒２２の係合部４１と係合可能に形成されている。
【００１９】
外筒２２は、その両端が開口する円筒形状に形成されており、その内部に軸体２１を挿通可能に形成されている。外筒２２は、その内径が軸体２１の外形よりも若干大径に形成され、軸体２１を挿通した場合に、軸体２１の外周面との間に若干の隙間が形成される。例えば、この隙間は、当該隙間に紙やシール等の紙葉類を挿入可能とする場合には、０．０５〜０．５ｍｍ程度の隙間とすればよい。
【００２０】
図２及び図６に示すように、外筒２２は、一方の端部の内周部に、軸体２１の切欠部３８と係合可能な方体状の突起である係合部４１を備えている。外筒２２は、樹脂材料で形成されている。外筒２２は、例えば、透明又は有色透明に形成され、内部に挿通された軸体２１を視認可能に形成されている。
【００２１】
ホルダー２３は、固定環４３と、固定環４３の外周面の一部に設けられたクリップ４４と、を備えている。固定環４３は、円環状に形成され、その内径が、軸体２１の小径部３５と略同一径に形成されるとともに、その軸心方向の長さが、小径部３５の長さと略同一長さに形成されている。また、固定環４３は、その内周面に、凸部３６と嵌合する円環状の凹部４５を備えている。
【００２２】
クリップ４４は、挟持体４６と、挟持体４６を固定環４３に接続するとともに、挟持体４６の先端を常時外筒２２へと付勢する付勢部材４７と、を備えている。付勢部材４７は、ねじりばねやＵ字状の板ばね等が用いられる。なお、本実施形態においては、付勢部材４７としてねじりばねを用いた例を示す。
【００２３】
大先２４は、樹脂材料により形成された樹脂成形品である。大先２４は、その一端側が先細形状に形成され、両端が開口する筒状に形成されている。なお、大先２４の一端側は、筆記具１の先端を形成する。
【００２４】
具体的に説明すると、大先２４は、先細形状の筒状に形成された胴部５１と、胴部５１の一端側に形成された孔部５２と、胴部５１の他端の開口に形成され、軸体２１の雌螺子部３２と螺合する雄螺子部５３と、胴部５１に挿入されるグリッパー５４と、を備えている。
【００２５】
図２に示すように、胴部５１は、外郭部材１０の先端側の一部を形成するとともに、グリッパー５４を挿入し、且つ、支持可能に形成されている。孔部５２は、筆記体１１の一部、さらに言えば後述するチップ６２の外径と略同一径又は若干大径となる内径に形成され、当該チップ６２を出没可能、且つ、支持可能に形成された円環状の孔部である。
【００２６】
グリッパー５４は、例えばシリコンゴム等のエラストマー樹脂により形成されている。グリッパー５４は、筆記具１の使用者が当該筆記具１を握持した際に、使用者の指とフィットし、且つ、適度な抵抗（摩擦力）を発生させて滑りを防止可能に形成されている。また、グリッパー５４は、雌螺子部３２に雄螺子部５３が螺合された場合に、その端部とホルダー２３の固定環４３の端部との間に外筒２２を挟持可能に形成されている。
【００２７】
筆記体１１は、所謂リフィル等の芯体である。筆記体１１は、インキ管６１と、筆記部６２と、を備えている。インキ管６１は、その内部にインキやゲルインキ等を収容する。また、インキ管６１は、その中途部に、外表面から突出する座部６３を備えている。筆記部６２は、インキ管６１の一方の端部に接続され、インキを用紙等の筆記を行うための紙葉類に塗布可能に形成されている。筆記部６２は、その先端にボールを回転可能に支持するチップ６２である。
【００２８】
ノック体２５は、軸体２１の開口部３１に挿通される一端側が閉塞する円筒状に形成されている。ノック体２５は、その他端側の外周面に、軸体２１の開口部３１の内側の端面と干渉する突起部６５を有する。
【００２９】
ノック体２５は、開口部３１から抜け出る方向の移動において、開口部３１の内側の端面と干渉することで突起部６５の移動が規制され、軸体２１からの脱離が防止される。ノック体２５は、筆記具１の使用者が押圧することで、回転子７１を押圧可能に形成されている。
【００３０】
駆動機構１２は、ノック体２５と、固定子３３と、回転子７１と、付勢部材７２と、を備えている。駆動機構１２は、使用者により操作されることで、筆記体１１を往復動させ、大先２４の孔部５２から出没させる機構である。
【００３１】
回転子７１は、インキ管６１の他方の端部と当接し、その外周面に、固定子３３のカム溝と係合する係合突起７３を備えている。回転子７１は、この係合突起７３が、カム溝と係合することで、軸体２１の軸心方向において異なる２つの位置に固定される。即ち、回転子７１は、一のカム溝と係合した場合に、当接する筆記体１１のチップ６２が大先２４内に収納する位置となり、他のカム溝と係合した場合に、筆記体１１のチップ６２が大先２４の孔部５２から突出する位置となる。
【００３２】
付勢部材７２は、インキ管６１の座部６３及び大先２４の先端側の内面の間に配置されるコイルばねである。付勢部材７２は、筆記体１１を回転子７１に付勢する。
【００３３】
このように構成された筆記具１の組立方法について、以下説明する。先ず、筆記具１は、図２に示すように、軸体２１に、ノック体２５、回転子７１及び筆記体１１を順次挿入し、筆記体１１に付勢部材７２を挿入するとともに、グリッパー５４を挿入した大先２４を軸体２１に螺合させる。
【００３４】
次に、軸体２１に外筒２２を挿入するとともに外筒２２の係合部４１を軸体２１の切欠部３８に係合させて、外筒２２の位置合わせを行う。次に、ホルダー２３の固定環４３を軸体２１に圧入し、凸部３６及び凹部４５を係合して軸体２１にホルダー２３を固定させる。これにより、外筒２２は、ホルダー２３及び切欠部３８に係合部４１が支持されるとともに、ホルダー２３及びグリッパー５４に挟持されて固定される。
【００３５】
なお、外筒２２は、ホルダー２３及びグリッパー５４により挟持されるが、実質的には、ホルダー２３及び切欠部３８に係合部４１が支持される。このため外筒２２は、その軸心方向及び当該軸心を中心とした回転方向の移動が規制されることから、大先２４（グリッパー５４）が取り外されても、軸体２１から脱離することはない。
【００３６】
このように構成された筆記具１によれば、外郭部材１０は、軸体２１及び外筒２２により隙間を有する二重構造となる。このため、筆記具１は、外筒２２を透明又は有色透明とすることで軸体２１及び外筒２２の外面の一方又は両方に意匠等を設けることが可能となる。また、軸体２１の外径を外筒２２の内径よりも小径とすることで、軸体２１及び外筒２２の間に、隙間が形成される。
【００３７】
即ち、筆記具１は、その外郭部材１０に企業名、製品名等の標章やキャラクター等の意匠等の意匠や標章等（以下「意匠等」）を設ける場合に、軸体２１及び外筒２２のいずれにも設けることが可能となる。
【００３８】
このため、使用等による意匠等の摩耗や欠損等を防止するために、軸体２１の外周面にのみ意匠等を設け、外筒２２により保護を行ってもよい。また、軸体２１及び外筒２２の両方に意匠等を設ける構成とし、立体的又は高さ位置の相違による視覚効果となる意匠等を設ける構成であってもよい。
【００３９】
さらに、軸体２１及び外筒２２の隙間に意匠等や裏面に粘着層が設けられた紙葉類や写真等を配置させることが可能となる。即ち、筆記具１は、軸体２１及び外筒２２を、隙間を有する二重構造とすることで、意匠等を設けるための自由度を向上することが可能となる。
【００４０】
なお、意匠等は、スクリーン印刷、パッド印刷、転写及び箔押し等による印刷等により設けられる。この場合、軸体２１及び外筒２２は、互いに係合するための切欠部３８及び係合部４１を用いることで、意匠等の印刷の位置合わせを行うことも可能となる。また、カム溝を意匠等の印刷の位置合わせとすることも可能である。
【００４１】
このように、位置合わせを行って意匠等を印刷することで、カム溝、軸体２１及び外筒２２の位相方向の意匠等の組み合わせが容易に可能となり、様々な印刷による視覚的効果を得ることも可能となる。
【００４２】
また、筆記具１は、外筒２２の係合部４１を軸体２１の切欠部３８に係合後、ホルダー２３を軸体２１に固定する構成であるため、外筒２２の移動は切欠部３８及びホルダー２３に規制される。即ち、外筒２２は、大先２４及びグリッパー５４を取り外しても、切欠部３８及び係合部４１の係合により先端側に脱離することがない。また、筆記具１は、外筒２２が軸体２１に固定されたホルダー２３によりノック体２５側への移動が規制されることから、外筒２２がノック体２５側に脱離することもない。
【００４３】
このように、外筒２２を軸体２１と別体としても、外筒２２が脱離することによる紛失等を防止することが可能となる。また、筆記具１は、外筒２２に軸体２１を挿通させる単純な構成でよく、製造コストの増大を防止することが可能となる。
【００４４】
上述したように本発明の一実施の形態に係る筆記具１によれば、外郭部材１０の一部を、軸体２１及び外筒２２を二重に設ける二重構造とし、且つ、軸体２１及び外筒２２の間に隙間を設けることで、高い自由度を有することとなり、意匠等を高い自由度で設けることが可能となる。
【００４５】
（第２の実施形態）
次に本発明の第２の実施形態に係る筆記具１Ａについて、図７及び図８を用いて説明する。なお第２の実施形態に係る筆記具１Ａにおいて、上述した第１の実施形態に係る筆記具１と同様の構成には、同一符号を付しその詳細な説明は省略する。
【００４６】
図７は第２の実施形態に係る筆記具１Ａの構成を示す断面図、図８は筆記具１Ａの構成を分解して示す断面図である。
【００４７】
図７及び図８に示すように、筆記具１Ａは、外郭部材１０Ａと、筆記体１１と、駆動機構１２と、を備えている。
【００４８】
外郭部材１０Ａは、上述した筆記具１の外郭部材１０と同様に軸体２１と、外筒２２と、ホルダー２３と、大先２４と、ノック体２５と、を備えている。
【００４９】
このような筆記具１Ａは、軸体２１の先端側の切欠部３８に、外筒２２の係合部４１が係合するように組み立てられる。図８を用いて具体的に説明すると、先ず、筆記具１Ａは、軸体２１に、ノック体２５、回転子７１、及び、筆記体１１を順次挿入し、筆記体１１に付勢部材７２を挿入するとともに、軸体２１にホルダー２３を固定させる。次に、先端側から軸体２１に外筒２２を挿入し、且つ、外筒２２の係合部４１を軸体２１の先端側の切欠部３８に係合させて位置合わせを行う。次に、グリッパー５４を挿入した大先２４を軸体２１に螺合させて固定することで、外筒２２がグリッパー５４及びホルダー２３に挟持され、筆記具１Ａが組み立てられる。
【００５０】
このように構成された筆記具１Ａは、外筒２２を軸体２１の先端側から挿入可能とすることで、外筒２２はグリッパー５４及びホルダー２３により固定され、外筒２２が着脱可能となる。即ち、外筒２２は、軸体２１から大先２４及びグリッパー５４を取り外すことで、先端側に脱離可能、且つ、ホルダー２３によりノック体２５側への移動を規制可能となる。また、係合部４１を切欠部３８に係合させることで、外筒２２の位置合わせも可能となるとともに、外筒２２の軸心を中心とした回転方向の回転を規制可能となる。このように筆記具１Ａは、外筒２２を必要に応じて取り外すことが可能となる。
【００５１】
例えば、軸体２１及び外筒２２間の隙間に紙葉類を設ける場合には、筆記具１Ａは、外筒２２を取り外すことで、容易に当該紙葉類を交換することが可能となる。具体的には、その時々の気分により、軸体２１及び外筒２２間の隙間に、愛犬や子供の写真等を入れ換えることも可能となる。
【００５２】
また、例えば、軸体２１及び外筒２２のそれぞれに記載された意匠等の組み合わせにより、外観が変化する意匠等を設けた場合には、外筒２２を取り外し、切欠部３８と係合部４１との係合位置を変化させることで、その外観を変化させることが可能となる。具体的には、外筒２２に、その一部を除いて有色の不透明な色彩を付し、当該一部は透明な窓部とし、外筒２２の回転方向の位置を変化させることによって、軸体２１に記載された複数の意匠等のうち、いずれかを視認可能とすることも可能となる。
【００５３】
また、外筒２２を異なる色、形状及び意匠等を任意に着脱させることも可能となる。即ち、筆記具１Ａは、外筒２２を任意に着せ替えることも可能となる。この他、様々な視覚的効果を得ることが可能な、意匠等を設けることが可能となる。
【００５４】
上述したように本発明の第２の実施形態に係る筆記具１Ａによれば、外筒２２を先端側から軸体２１に挿入し、グリッパー５４及びホルダー２３により固定する構成とすることで、外筒２２が着脱可能となり、高い自由度を有することとなり、意匠等を高い自由度で設けることが可能となる。
【００５５】
なお、本発明は前記実施の形態に限定されるものではない。例えば、上述した例では、筆記具１、１Ａの軸体２１は、一端側であって、且つ、小径部３５の他端部に形成される端面部、及び、他方の端部にそれぞれ切欠部３８を有する説明したがこれに限定されない。
【００５６】
例えば、上述した筆記具１のように、軸体２１は、外筒２２を軸体２１及びホルダー２３により常時固定する構成においては、切欠部３８を軸体２１の一端側の端面部にのみ設ける構成であればよく、同様に、筆記具１Ａのように、外筒２２を着脱可能な構成においては、切欠部３８を軸体２１の他方の端部にのみ設ける構成であればよい。
【００５７】
また、筆記具１，１Ａは、ボールペンを用いた構成を説明したがこれに限定されず、上述したようにシャープペンシルであってもよく、また、例えば筆記体１１として蛍光塗料が含有されたフェルト等を有する蛍光ペン等であってもよい。
【００５８】
また、上述した例では、筆記具１、１Ａは、所謂ノック式の駆動機構１２を説明したがこれに限定されず、外郭部材１０の一部が二重構造であればスライド式の駆動機構であってもよく、また他の構成であってもよい。即ち、筆記具１，１Ａは、外郭部材１０の一部が二重構造であって、意匠等を設けるための高い自由度を有する構成であれば、他の構成は、適宜設定可能である。
【００５９】
さらに言えば、上述した例では、筆記具１，１Ａは、グリッパー５４を有する構成を説明したがこれに限定されず、例えば、大先をグリッパー５４と同等の外形とし、当該大先により外筒２２を固定する構成であってもよい。この他、本発明の要旨を逸脱しない範囲で種々変形実施可能である。
【符号の説明】
【００６０】
１、１Ａ…筆記具、１０…外郭部材、１０Ａ…外郭部材、１１…筆記体、１２…駆動機構、２１…軸体（円筒状部材）、２２…外筒（円筒状部材）、２３…ホルダー、２４…大先、２５…ノック体、３１…開口部、３２…雌螺子部、３３…固定子、３５…小径部、３６…凸部、３８…切欠部、４１…係合部、４３…固定環、４４…クリップ、４５…凹部、４６…挟持体、４７…付勢部材、５１…胴部、５２…孔部、５３…雄螺子部、５４…グリッパー、６１…インキ管、６２…筆記部（チップ）、６３…座部、６５…突起部、７１…回転子、７２…付勢部材、７３…係合突起。
【図１】
2013022765.tif 000003
【図２】
2013022765.tif 000004
【図３】
2013022765.tif 000005
【図４】
2013022765.tif 000006
【図５】
2013022765.tif 000007
【図６】
2013022765.tif 000008
【図７】
2013022765.tif 000009
【図８】
2013022765.tif 000010